(57)【要約】  【課題】  実係数ウェーブレット変換を行うウェーブレット変換ベースのＯＦＤＭによるマルチキャリア伝送方式（ＤＷＭＣ伝送方式）のデータ伝送において、複素情報を扱えるパイロットキャリアを使用可能にする。  【解決手段】  ＤＷＭＣ伝送方式によるデータ伝送においてパイロットキャリアを設ける場合、周波数軸上の複数のサブキャリアにおいて、所定の２つの隣り合うサブキャリアを単位としたサブキャリアペアにおいて連続同一データを与えることにより、正弦波の信号となるパイロットキャリアＰ１，Ｐ２，…を構成する。このパイロットキャリアを使用した伝送信号を送信装置と受信装置との間で伝送することで、パイロットキャリアより得られる複素情報によって送受信装置間のクロックずれ補償等を行うことができる。【選択図】  図２
2005311413.tif 000002
【特許請求の範囲】
【請求項１】
実係数ウェーブレットフィルタバンクを用いたディジタル変復調処理によりデータ伝送を行うマルチキャリア伝送方式の通信装置であって、
隣り合う２つのサブキャリアを単位としたサブキャリアペアにおいて連続同一データを与えることにより構成されるパイロットキャリアを使用するもので、前記実係数ウェーブレットフィルタバンクを用いて伝送信号のディジタルマルチキャリア変調処理を行う変調手段を有し、前記パイロットキャリアを含む伝送信号を送信する送信部を備えた通信装置。
【請求項２】
実係数ウェーブレットフィルタバンクを用いたディジタル変復調処理によりデータ伝送を行うマルチキャリア伝送方式の通信装置であって、
隣り合う２つのサブキャリアを単位としたサブキャリアペアにおいて連続同一データを与えることにより構成されるパイロットキャリアを使用するもので、前記実係数ウェーブレットフィルタバンクを用いて伝送信号のディジタルマルチキャリア復調処理を行う復調手段を有し、前記パイロットキャリアを含む伝送信号を受信する受信部を備えた通信装置。
【請求項３】
請求項１に記載の通信装置であって、
前記サブキャリアペアにおいて連続同一データを与えてパイロットキャリアを発生させるパイロットキャリア生成手段を備えた通信装置。
【請求項４】
請求項１または２に記載の通信装置であって、
前記パイロットキャリアを含む信号を入力してこのパイロットキャリアによる複素情報を得るパイロットキャリア抽出手段を備えた通信装置。
【請求項５】
請求項４に記載の通信装置であって、
前記パイロットキャリアより得られる複素情報を用いて送信側装置と受信側装置との間のクロックずれを補償するクロックずれ補償手段を備えた通信装置。
【請求項６】
請求項１または２に記載の通信装置であって、
前記パイロットキャリアを構成するサブキャリアペアの両側の１つ以上のサブキャリアがデータ伝送に用いないマスクキャリアとなっている通信装置。
【請求項７】
請求項６に記載の通信装置であって、
予め設定されるマスクキャリアの隣のサブキャリアペアによって前記パイロットキャリアが構成される通信装置。
【請求項８】
請求項１または２に記載の通信装置であって、
連続する複数の前記サブキャリアペアにおいて連続同一データを与えることでパイロットキャリアが構成される通信装置。
【請求項９】
請求項１または２に記載の通信装置であって、
連続する複数の前記サブキャリアペアにおいて連続同一データを与えることで複数のパイロットキャリアが構成され、これらの複数のパイロットキャリアのうち、周波数軸上の配列において中央に位置するパイロットキャリアを使用する通信装置。
【請求項１０】
請求項１または２に記載の通信装置であって、
連続または離間する複数の前記サブキャリアペアにおいて連続同一データを与えることで複数のパイロットキャリアが構成され、これらの複数のパイロットキャリアを重み付け合成を行って使用する通信装置。
【請求項１１】
請求項２に記載の通信装置であって、
前記復調手段は、前記パイロットキャリアを含む伝送信号に対して実係数ウェーブレットフィルタバンクを用いたウェーブレット変換を行う２つのウェーブレット変換器を備え、前記２つのウェーブレット変換器の出力は互いに直交関係にあり、前記２つのウェーブレット変換器の出力に基づいて複素情報を含む信号を出力する通信装置。
【請求項１２】
請求項２に記載の通信装置であって、
前記復調手段は、前記パイロットキャリアを含む伝送信号に対して実係数ウェーブレットフィルタバンクを用いたウェーブレット変換を行う１つのウェーブレット変換器を備え、前記１つのウェーブレット変換器の出力に基づいて複素情報を含む信号を出力する通信装置。
【請求項１３】
請求項１または２に記載の通信装置であって、
前記パイロットキャリアが所定のサブキャリアペアを用いて複数固定的に設定される場合に、
受信側装置における受信信号を基に得られる各サブキャリアに関する伝送路状態を示す情報を用いて、前記複数のパイロットキャリアから使用するパイロットキャリアの選択を行うパイロットキャリア選択手段を備えた通信装置。
【請求項１４】
請求項１または２に記載の通信装置であって、
前記パイロットキャリアが所定のサブキャリアペアを用いて複数固定的に設定される場合に、
受信側装置における受信信号を基に得られる各サブキャリアに関する伝送路状態を示す情報を用いて、前記複数のパイロットキャリアを使用する際の重み付けを行うパイロットキャリア重み付け手段を備えた通信装置。
【請求項１５】
請求項１３または１４に記載の通信装置であって、
前記伝送路状態を示す情報として、前記受信側装置における受信信号を基に伝送路の推定を行う伝送路推定器より得られるＣＩＮＲ（キャリア電力対干渉及び雑音電力比）情報、前記受信側装置における受信信号を基に伝送路の等化を行う伝送路等化器より得られる振幅情報、前記受信側装置における前記パイロットキャリアを含む伝送信号のサブキャリアペア間の位相差を検出する位相差検出器より得られるサブキャリアペア間位相差情報、前記受信側装置におけるビットエラーレート、前記伝送信号のデータ再送率、前記伝送信号の伝送レートのうちの少なくとも一つを用いる通信装置。
【請求項１６】
請求項１または２に記載の通信装置であって、
前記パイロットキャリアが任意のサブキャリアペアを用いて選択的に設定される場合に、
受信側装置における受信信号を基に得られる各サブキャリアに関する伝送路状態を示す情報を用いて、前記パイロットキャリアとして使用するサブキャリアペアを選択して決定するパイロットキャリア決定手段を備えた通信装置。
【請求項１７】
請求項１６に記載の通信装置であって、
前記パイロットキャリア決定手段は、前記伝送路状態に応じて前記パイロットキャリアを使用するか否かを決定する通信装置。
【請求項１８】
請求項１７に記載の通信装置であって、
前記パイロットキャリア決定手段は、前記伝送路状態が所定値より良好な場合は前記パイロットキャリアを使用しないこととし、前記伝送路状態が所定値より悪い場合はこの中で伝送路状態が良好なサブキャリアペアを選択して前記パイロットキャリアに決定する通信装置。
【請求項１９】
請求項１７または１８に記載の通信装置であって、
前記パイロットキャリア決定手段は、前記伝送路状態に応じて前記パイロットキャリアの使用数を決定する通信装置。
【請求項２０】
請求項１７または１８に記載の通信装置であって、
前記パイロットキャリア決定手段は、前記パイロットキャリアを複数選択的に使用する場合に、前記伝送路状態に応じて前記パイロットキャリアの間隔を決定する通信装置。
【請求項２１】
請求項１６ないし２０のいずれかに記載の通信装置であって、
前記伝送路状態を示す情報として、前記受信側装置における受信信号を基に伝送路の推定を行う伝送路推定器より得られるＣＩＮＲ（キャリア電力対干渉及び雑音電力比）情報、前記伝送路の推定結果より決定される各サブキャリアで使用する伝送信号の一次変調情報、前記受信側装置における受信信号を基に伝送路の等化を行う伝送路等化器より得られる振幅情報、前記受信側装置における前記パイロットキャリアを含む伝送信号のサブキャリアペア間の位相差を検出する位相差検出器より得られるサブキャリアペア間位相差情報、前記受信側装置におけるビットエラーレート、前記伝送信号のデータ再送率、前記伝送信号の伝送レートのうちの少なくとも一つを用いる通信装置。
【請求項２２】
実係数ウェーブレットフィルタバンクを用いたディジタル変復調処理によりデータ伝送を行うマルチキャリア伝送方式の通信方法であって、
隣り合う２つのサブキャリアを単位としたサブキャリアペアにおいて連続同一データを与えることにより構成されるパイロットキャリアを使用し、前記実係数ウェーブレットフィルタバンクを用いて伝送信号のディジタルマルチキャリア変調処理を行う変調ステップと、前記パイロットキャリアを含む伝送信号を送信する送信ステップと、を有する通信方法。
【請求項２３】
実係数ウェーブレットフィルタバンクを用いたディジタル変復調処理によりデータ伝送を行うマルチキャリア伝送方式の通信方法であって、
隣り合う２つのサブキャリアを単位としたサブキャリアペアにおいて連続同一データを与えることにより構成されるパイロットキャリアを使用し、前記パイロットキャリアを含む伝送信号を受信する受信ステップと、前記実係数ウェーブレットフィルタバンクを用いて伝送信号のディジタルマルチキャリア復調処理を行う復調ステップ、とを有する通信方法。
【請求項２４】
請求項２２に記載の通信方法であって、
前記サブキャリアペアにおいて連続同一データを与えてパイロットキャリアを発生させるパイロットキャリア生成ステップを有する通信方法。
【請求項２５】
請求項２２または２３に記載の通信方法であって、
前記パイロットキャリアを含む信号を入力してこのパイロットキャリアによる複素情報を得るパイロットキャリア抽出ステップを有する通信方法。
【発明の詳細な説明】
【技術分野】
【０００１】
本発明は、マルチキャリア伝送方式の通信装置、特に実係数ウェーブレットフィルタバンクを用いたディジタル変復調処理によりデータ伝送を行うマルチキャリア伝送方法（Digital Wavelet Multi Carrier 伝送方法、以下、「ＤＷＭＣ伝送方法」と記載する）を用いる通信装置及び通信方法に関する。
【背景技術】
【０００２】
地上波ディジタル放送システムなどでは、ＯＦＤＭ（Orthogonal Frequency Division Multiplexing）を用いたマルチキャリア伝送方式によって広帯域のデータ伝送を可能にしている。この種のＯＦＤＭを用いたマルチキャリア伝送方式によるデータ伝送方法として、実係数ウェーブレットフィルタバンクを用いたディジタル変復調処理によるマルチキャリア伝送方法（ＤＷＭＣ伝送方法）が提案されている。ＤＷＭＣ伝送方法では、実係数フィルタバンクにより複数のディジタル変調波を合成することによって送信信号が生成される。各キャリアの変調方式としては、ＰＡＭ（Pulse Amplitude Modulation）などが用いられる。
【０００３】
ＤＷＭＣ伝送方法によるデータ伝送について、図２４〜図２７を用いて説明する。図２４はウェーブレット波形の例を示す図、図２５はＤＷＭＣ伝送方法における送信波形の例を示す図、図２６はＤＷＭＣ伝送方法における送信スペクトルの例を示す図、図２７はＤＷＭＣ伝送方法における送信フレームの構成例を示す図である。
【０００４】
ＤＷＭＣ伝送方法によるデータ伝送においては、図２４に示すように、各サブキャリアのインパルス応答が各サブキャリア内で重なり合いながら伝送される。各伝送シンボルは、図２５に示すように、各サブキャリアのインパルス応答が合成された時間波形となる。図２６に振幅スペクトルの例を示す。ＤＷＭＣ伝送方法では、図２５の伝送シンボルを数十個〜数百個程度集めて１つの伝送フレームを構成する。ＤＷＭＣ伝送フレームの構成例を図２７に示す。このＤＷＭＣ伝送フレームには、情報データ伝送用シンボルの他にフレーム同期用シンボルや等化用シンボルなどが含まれる。
【０００５】
図２８は、ＤＷＭＣ伝送方法を採用した場合の送信装置２９９及び受信装置１９９を有してなる従来例の通信装置の概念的構成を示すブロック図である。
【０００６】
図２８において、受信装置１９９は、アナログ−ディジタル変換を行うＡ／Ｄ変換器１１０、離散ウェーブレット変換を行うウェーブレット変換器１２０、パラレルデータをシリアルデータに変換する並列直列変換器（Ｐ／Ｓ（パラレル／シリアル）変換器）１３０、受信信号の判定を行う判定器１４０を有して構成される。送信装置２９９は、ビットデータをシンボルデータに変換しシンボルマッピングを行うシンボルマッパ２１０、シリアルデータをパラレルデータに変換する直列並列変換器（Ｓ／Ｐ（シリアル／パラレル）変換器）２２０、逆離散ウェーブレット変換を行う逆ウェーブレット変換器２３０、ディジタル−アナログ変換を行うＤ／Ａ変換器２４０を有して構成される。
【０００７】
上記構成の通信装置の動作を説明する。まず、送信装置２９９においては、シンボルマッパ２１０によって伝送データのビットデータをシンボルデータに変換し、各シンボルデータに従ってシンボルマッピング（ＰＡＭ変調）を行う。そして、Ｓ／Ｐ変換器２２０によりシリアルデータをパラレルデータに変換することで、サブキャリアごとにシンボルデータに実数値ｄｉ（ｉ＝１〜Ｍ、Ｍは複数）を与える。その後、この実数値を逆ウェーブレット変換器２３０により時間軸上へ逆離散ウェーブレット変換する。これにより、時間軸波形のサンプル値を発生させ、伝送シンボルを表すサンプル値系列を生成する。そして、このサンプル値系列をＤ／Ａ変換器２４０により時間的に連続するアナログベースバンド信号波形に変換して送信する。ここで、逆離散ウェーブレット変換により発生される時間軸上のサンプル値の個数は、通常２のｎ乗（ｎは正の整数）個である。
【０００８】
受信装置１９９においては、受信信号より得られるアナログベースバンド信号波形をＡ／Ｄ変換器１１０により送信側と同じサンプルレートでサンプルし、サンプル値系列を得る。そして、このサンプル値系列をウェーブレット変換器１２０により周波数軸上へ離散ウェーブレット変換し、Ｐ／Ｓ変換器１３０によりパラレルデータをシリアルデータに変換する。最後に、判定器１４０において各サブキャリアの振幅値を計算し、受信信号の判定を行って受信データを得る。
【０００９】
また、ＤＷＭＣ伝送方法を用いた通信装置の例として、宅内等に配設された電力線を通信媒体として利用してデータ伝送を行う電力線搬送通信装置が提案されている（例えば、特許文献１参照）。
【００１０】
ところで、マルチキャリア伝送方式では、伝送データの位相の調整などを行うために、所定のキャリアにおいて正弦波の信号によるパイロット信号を送信するパイロットキャリアを設ける場合がある。このパイロットキャリアの情報によって、伝送データの位相を調整し、送信装置と受信装置とのクロックずれなどを補償することが可能となる。
【００１１】
従来のＦＦＴ（Fast Fourier Transform）ベースのＯＦＤＭによるマルチキャリア伝送方式におけるパイロットキャリアとしては、例えば、ＩＥＥＥ  ８０２．１１ａ規格において規定されているものがある（非特許文献１参照）。このようなＦＦＴベースのＯＦＤＭによるマルチキャリア伝送方式は、複素数変換であるＦＦＴを行うものであるため、パイロットキャリアを設ける場合に、既知の信号（例えばオール１などの同一データが連続する信号）を１つのキャリアを使用して伝送するだけで、振幅と位相を表す複素情報を持つパイロットキャリアを生成することが可能である。これに対し、ＤＷＭＣ伝送方法において用いられるウェーブレット変換ベースのＯＦＤＭによるマルチキャリア伝送方式は、実数変換であるウェーブレット変換を行うものであるため、単純に１つのキャリアによって複素情報を持つパイロットキャリアを生成することができない。
【００１２】
【特許文献１】特開２００３−２１８８３１号公報
【非特許文献１】“Part 11 : Wireless LAN Medium Access Control (MAC) and Physical Layer (PHY) specifications: High-speed Physical Layer in the 5GHZ Band”，IEEE Std 802.11a-1999，（米国），The Institute of Electrical and Electronics Engineers, Inc.，１９９９年１２月３０日，ｐ．２２−２５
【発明の開示】
【発明が解決しようとする課題】
【００１３】
本発明は、上記事情に鑑みてなされたもので、実係数ウェーブレット変換を行うウェーブレット変換ベースのＯＦＤＭによるマルチキャリア伝送方式のデータ伝送において、複素情報を扱えるパイロットキャリアを使用することが可能なマルチキャリア伝送方式の通信装置及び通信方法を提供することを目的とする。
【課題を解決するための手段】
【００１４】
本発明の通信装置は、第１に、実係数ウェーブレットフィルタバンクを用いたディジタル変復調処理によりデータ伝送を行うマルチキャリア伝送方式の通信装置であって、隣り合う２つのサブキャリアを単位としたサブキャリアペアにおいて連続同一データを与えることにより構成されるパイロットキャリアを使用するもので、前記実係数ウェーブレットフィルタバンクを用いて伝送信号のディジタルマルチキャリア変調処理を行う変調手段を有し、前記パイロットキャリアを含む伝送信号を送信する送信部を備えたものである。
この構成により、実係数ウェーブレット変換を行うウェーブレット変換ベースのＯＦＤＭによるマルチキャリア伝送方式のデータ伝送において、複素情報を扱えるパイロットキャリアを使用することが可能となる。
【００１５】
本発明の通信装置は、第２に、実係数ウェーブレットフィルタバンクを用いたディジタル変復調処理によりデータ伝送を行うマルチキャリア伝送方式の通信装置であって、隣り合う２つのサブキャリアを単位としたサブキャリアペアにおいて連続同一データを与えることにより構成されるパイロットキャリアを使用するもので、前記実係数ウェーブレットフィルタバンクを用いて伝送信号のディジタルマルチキャリア復調処理を行う復調手段を有し、前記パイロットキャリアを含む伝送信号を受信する受信部を備えたものである。
この構成により、実係数ウェーブレット変換を行うウェーブレット変換ベースのＯＦＤＭによるマルチキャリア伝送方式のデータ伝送において、複素情報を扱えるパイロットキャリアを使用することが可能となる。
【００１６】
また、本発明の一態様として、第３に、上記第１の通信装置であって、前記サブキャリアペアにおいて連続同一データを与えてパイロットキャリアを発生させるパイロットキャリア生成手段を備えたものも含まれる。
この構成により、実係数ウェーブレット変換を行うウェーブレット変換ベースのＯＦＤＭによるマルチキャリア伝送方式のデータ伝送において、複素情報を扱えるパイロットキャリアを生成して使用可能となる。
【００１７】
また、本発明の一態様として、第４に、上記の第１または第２の通信装置であって、前記パイロットキャリアを含む信号を入力してこのパイロットキャリアによる複素情報を得るパイロットキャリア抽出手段を備えたものも含まれる。
この構成により、実係数ウェーブレット変換を行うウェーブレット変換ベースのＯＦＤＭによるマルチキャリア伝送方式のデータ伝送において、パイロットキャリアの複素情報を取得して使用することが可能となる。
【００１８】
また、本発明の一態様として、第５に、上記の第４の通信装置であって、前記パイロットキャリアより得られる複素情報を用いて送信側装置と受信側装置との間のクロックずれを補償するクロックずれ補償手段を備えたものも含まれる。
この構成により、パイロットキャリアを使用して送信側装置と受信側装置との間のクロックずれを補償することが可能となり、伝送効率が向上する。
【００１９】
また、本発明の一態様として、第６に、上記第１または第２の通信装置であって、前記パイロットキャリアを構成するサブキャリアペアの両側の１つ以上のサブキャリアがデータ伝送に用いないマスクキャリアとなっているものも含まれる。
この構成により、マスクキャリアを使用してパイロットキャリアの両側に設定することで、パイロットキャリアに対するキャリア間干渉が減少するため、パイロットキャリアから得られる複素情報の精度が向上する。
【００２０】
また、本発明の一態様として、第７に、上記第６の通信装置であって、予め設定されるマスクキャリアの隣のサブキャリアペアによって前記パイロットキャリアが構成されるものも含まれる。
この構成により、予め設定されるマスクキャリアを使用してその隣のサブキャリアペアをパイロットキャリアに設定することで、パイロットキャリアから得られる複素情報の精度を向上できるとともに、サブキャリアの使用効率を高めて伝送効率を向上させることが可能となる。
【００２１】
また、本発明の一態様として、第８に、上記第１または第２の通信装置であって、連続する複数の前記サブキャリアペアにおいて連続同一データを与えることでパイロットキャリアが構成されるものも含まれる。
この構成により、パイロットキャリア当たりの正弦波数が増加するので、パイロットキャリアから得られる複素情報の精度を向上させることが可能となる。
【００２２】
また、本発明の一態様として、第９に、上記第１または第２の通信装置であって、連続する複数の前記サブキャリアペアにおいて連続同一データを与えることで複数のパイロットキャリアが構成され、これらの複数のパイロットキャリアのうち、周波数軸上の配列において中央に位置するパイロットキャリアを使用するものも含まれる。
この構成により、中央のパイロットキャリアに対してはキャリア間干渉が少ないため、パイロットキャリアから得られる複素情報の精度が向上する。
【００２３】
また、本発明の一態様として、第１０に、上記第１または第２の通信装置であって、連続または離間する複数の前記サブキャリアペアにおいて連続同一データを与えることで複数のパイロットキャリアが構成され、これらの複数のパイロットキャリアを重み付け合成を行って使用するものも含まれる。
この構成により、例えば伝送路の状態などに応じて複数のパイロットキャリアを重み付け合成を行って使用することで、パイロットキャリアから得られる複素情報の精度を向上させることが可能となる。
【００２４】
また、本発明の一態様として、第１１に、上記第２の通信装置であって、前記復調手段は、前記パイロットキャリアを含む伝送信号に対して実係数ウェーブレットフィルタバンクを用いたウェーブレット変換を行う２つのウェーブレット変換器を備え、前記２つのウェーブレット変換器の出力は互いに直交関係にあり、前記２つのウェーブレット変換器の出力に基づいて複素情報を含む信号を出力するものも含まれる。
この構成により、パイロットキャリアから精度の高い複素情報を取得することが可能となる。
【００２５】
また、本発明の一態様として、第１２に、上記第２の通信装置であって、前記復調手段は、前記パイロットキャリアを含む伝送信号に対して実係数ウェーブレットフィルタバンクを用いたウェーブレット変換を行う１つのウェーブレット変換器を備え、前記１つのウェーブレット変換器の出力に基づいて複素情報を含む信号を出力するものも含まれる。
この構成により、ウェーブレット変換器を含む復調手段の回路規模を縮小することが可能となる。
【００２６】
また、本発明の一態様として、第１３に、上記第１または第２の通信装置であって、前記パイロットキャリアが所定のサブキャリアペアを用いて複数固定的に設定される場合に、受信側装置における受信信号を基に得られる各サブキャリアに関する伝送路状態を示す情報を用いて、前記複数のパイロットキャリアから使用するパイロットキャリアの選択を行うパイロットキャリア選択手段を備えたものも含まれる。
この構成により、伝送路状態に応じて特性の良好なパイロットキャリアを選択して使用でき、パイロットキャリアから得られる複素情報の精度を向上させることが可能となる。
【００２７】
また、本発明の一態様として、第１４に、上記第１または第２の通信装置であって、前記パイロットキャリアが所定のサブキャリアペアを用いて複数固定的に設定される場合に、受信側装置における受信信号を基に得られる各サブキャリアに関する伝送路状態を示す情報を用いて、前記複数のパイロットキャリアを使用する際の重み付けを行うパイロットキャリア重み付け手段を備えたものも含まれる。
この構成により、伝送路状態に応じてパイロットキャリアの重み付けを行って使用することで、パイロットキャリアから得られる複素情報の精度を向上させることが可能となる。
【００２８】
また、本発明の一態様として、第１５に、上記第１３または第１４の通信装置であって、前記伝送路状態を示す情報として、前記受信側装置における受信信号を基に伝送路の推定を行う伝送路推定器より得られるＣＩＮＲ（キャリア電力対干渉及び雑音電力比）情報、前記受信側装置における受信信号を基に伝送路の等化を行う伝送路等化器より得られる振幅情報、前記受信側装置における前記パイロットキャリアを含む伝送信号のサブキャリアペア間の位相差を検出する位相差検出器より得られるサブキャリアペア間位相差情報、前記受信側装置におけるビットエラーレート、前記伝送信号のデータ再送率、前記伝送信号の伝送レートのうちの少なくとも一つを用いるものも含まれる。
この構成により、伝送路状態を示す各種情報に応じてパイロットキャリアの選択、重み付け等が可能となり、特性の良好なパイロットキャリアを使用してパイロットキャリアから得られる複素情報の精度を向上できる。
【００２９】
また、本発明の一態様として、第１６に、上記第１または第２の通信装置であって、前記パイロットキャリアが任意のサブキャリアペアを用いて選択的に設定される場合に、受信側装置における受信信号を基に得られる各サブキャリアに関する伝送路状態を示す情報を用いて、前記パイロットキャリアとして使用するサブキャリアペアを選択して決定するパイロットキャリア決定手段を備えたものも含まれる。
この構成により、伝送路状態に応じて任意のサブキャリアペアを選択的に用いてパイロットキャリアを設定することで、特性の良好なパイロットキャリアを使用でき、パイロットキャリアから得られる複素情報の精度を向上させることが可能となる。
【００３０】
また、本発明の一態様として、第１７に、上記第１６の通信装置であって、前記パイロットキャリア決定手段は、前記伝送路状態に応じて前記パイロットキャリアを使用するか否かを決定するものも含まれる。
この構成により、伝送路状態に応じて、適宜パイロットキャリアを使用することが可能となる。
【００３１】
また、本発明の一態様として、第１８に、上記第１７の通信装置であって、前記パイロットキャリア決定手段は、前記伝送路状態が所定値より良好な場合は前記パイロットキャリアを使用しないこととし、前記伝送路状態が所定値より悪い場合はこの中で伝送路状態が良好なサブキャリアペアを選択して前記パイロットキャリアに決定するものも含まれる。
この構成により、伝送路状態に応じて、伝送路状態が所定値より良好な場合はパイロットキャリアを使用しないことによって、使用周波数帯域における伝送効率を向上させることが可能となる。また、伝送路状態が所定値より悪い場合はこの中で伝送路状態が良好なサブキャリアペアを選択してパイロットキャリアに決定することで、特性の良好なパイロットキャリアを使用可能となる。
【００３２】
また、本発明の一態様として、第１９に、上記第１７または第１８の通信装置であって、前記パイロットキャリア決定手段は、前記伝送路状態に応じて前記パイロットキャリアの使用数を決定するものも含まれる。
この構成により、伝送路状態に応じて適切な数のパイロットキャリアを設定でき、使用周波数帯域における伝送効率を向上させることが可能となる。
【００３３】
また、本発明の一態様として、第２０に、上記第１７または第１８の通信装置であって、パイロットキャリア決定手段は、前記パイロットキャリアを複数選択的に使用する場合に、前記伝送路状態に応じて前記パイロットキャリアの間隔を決定するものも含まれる。
この構成により、伝送路状態に応じて適切な間隔のパイロットキャリアを設定でき、伝送効率を向上しつつ特性の良好なパイロットキャリアを使用することができる。
【００３４】
また、本発明の一態様として、第２１に、上記第１６ないし第２０のいずれかの通信装置であって、前記伝送路状態を示す情報として、前記受信側装置における受信信号を基に伝送路の推定を行う伝送路推定器より得られるＣＩＮＲ（キャリア電力対干渉及び雑音電力比）情報、前記伝送路の推定結果より決定される各サブキャリアで使用する伝送信号の一次変調情報、前記受信側装置における受信信号を基に伝送路の等化を行う伝送路等化器より得られる振幅情報、前記受信側装置における前記パイロットキャリアを含む伝送信号のサブキャリアペア間の位相差を検出する位相差検出器より得られるサブキャリアペア間位相差情報、前記受信側装置におけるビットエラーレート、前記伝送信号のデータ再送率、前記伝送信号の伝送レートのうちの少なくとも一つを用いるものも含まれる。
この構成により、伝送路状態を示す各種情報に応じてパイロットキャリアの決定が可能となり、特性の良好なパイロットキャリアを使用してパイロットキャリアから得られる複素情報の精度を向上できる。
【００３５】
本発明の通信方法は、第２２に、実係数ウェーブレットフィルタバンクを用いたディジタル変復調処理によりデータ伝送を行うマルチキャリア伝送方式の通信方法であって、隣り合う２つのサブキャリアを単位としたサブキャリアペアにおいて連続同一データを与えることにより構成されるパイロットキャリアを使用し、前記実係数ウェーブレットフィルタバンクを用いて伝送信号のディジタルマルチキャリア変調処理を行う変調ステップと、前記パイロットキャリアを含む伝送信号を送信する送信ステップと、を有するものである。
この手順により、実係数ウェーブレット変換を行うウェーブレット変換ベースのＯＦＤＭによるマルチキャリア伝送方式のデータ伝送において、複素情報を扱えるパイロットキャリアを使用することが可能となる。
【００３６】
本発明の通信方法は、第２３に、実係数ウェーブレットフィルタバンクを用いたディジタル変復調処理によりデータ伝送を行うマルチキャリア伝送方式の通信方法であって、隣り合う２つのサブキャリアを単位としたサブキャリアペアにおいて連続同一データを与えることにより構成されるパイロットキャリアを使用し、前記パイロットキャリアを含む伝送信号を受信する受信ステップと、前記実係数ウェーブレットフィルタバンクを用いて伝送信号のディジタルマルチキャリア復調処理を行う復調ステップ、とを有するものである。
この手順により、実係数ウェーブレット変換を行うウェーブレット変換ベースのＯＦＤＭによるマルチキャリア伝送方式のデータ伝送において、複素情報を扱えるパイロットキャリアを使用することが可能となる。
【００３７】
また、本発明の一態様として、第２４に、上記第２２の通信方法であって、前記サブキャリアペアにおいて連続同一データを与えてパイロットキャリアを発生させるパイロットキャリア生成ステップを有するものも含まれる。
この手順により、実係数ウェーブレット変換を行うウェーブレット変換ベースのＯＦＤＭによるマルチキャリア伝送方式のデータ伝送において、複素情報を扱えるパイロットキャリアを生成して使用可能となる。
【００３８】
また、本発明の一態様として、第２５に、上記第２２または第２３の通信方法であって、前記パイロットキャリアを含む信号を入力してこのパイロットキャリアによる複素情報を得るパイロットキャリア抽出ステップを有するものも含まれる。
この手順により、実係数ウェーブレット変換を行うウェーブレット変換ベースのＯＦＤＭによるマルチキャリア伝送方式のデータ伝送において、パイロットキャリアの複素情報を取得して使用することが可能となる。
【発明の効果】
【００３９】
本発明によれば、実係数ウェーブレット変換を行うウェーブレット変換ベースのＯＦＤＭによるマルチキャリア伝送方式のデータ伝送において、複素情報を扱えるパイロットキャリアを使用することができる。
【発明を実施するための最良の形態】
【００４０】
本実施形態では、実係数ウェーブレットフィルタバンクを用いたディジタル変復調処理によるマルチキャリア伝送方法（ＤＷＭＣ伝送方法）によりデータ伝送を行う通信装置の構成及び動作を説明する。
【００４１】
（第１の実施形態）
図１は本発明の第１の実施形態に係る通信装置の主要な構成を示すブロック図であり、図１（Ａ）は通信装置を構成する送信装置を示すブロック図、図１（Ｂ）は通信装置を構成する受信装置を示すブロック図である。送信装置１０は、伝送データを出力する伝送データ出力部１１と、パイロット信号用のパイロットデータを出力するパイロットデータ出力部１２と、伝送データまたはパイロットデータの切替選択を行うスイッチ１３と、ビットデータをシンボルデータに変換しシンボルマッピングを行うシンボルマッパ１４と、逆離散ウェーブレット変換を行う逆ウェーブレット変換器１５と、ディジタル−アナログ変換を行うＤ／Ａ変換器１６とを有して構成される。
【００４２】
受信装置２０は、アナログ−ディジタル変換を行うＡ／Ｄ変換器２１と、離散ウェーブレット変換を行うウェーブレット変換器２２と、送信装置１０と受信装置２０との間の伝送路特性の等化（伝送特性の補償など）を行う伝送路等化器２３と、受信信号よりパイロットキャリアを抽出するパイロットキャリア抽出部２４と、パイロットキャリアを用いて受信信号のクロックずれを補償するクロックずれ補償器２５とを有して構成される。
【００４３】
送信装置１０において、伝送データを出力する場合、スイッチ１３の切替選択によって伝送データ出力部１１をシンボルマッパ１４に接続する。このとき、伝送データ出力部１１から出力される任意の伝送データのビットデータをシンボルマッパ１４によってシンボルデータに変換し、各シンボルデータに従ってシンボルマッピング（ＰＡＭ変調）を行う。その後、逆ウェーブレット変換器１５により、シリアルデータをパラレルデータに変換してサブキャリアごとにシンボルデータに実数値ｄｉ（ｉ＝１〜Ｍ、Ｍは複数）を与えた後、この実数値のデータを時間軸上へ逆離散ウェーブレット変換する。これにより、時間軸波形のサンプル値を発生させ、伝送シンボルを表すサンプル値系列を生成する。そして、Ｄ／Ａ変換器１６によりこのサンプル値系列を時間的に連続するアナログベースバンド信号波形に変換して送信する。
【００４４】
また、パイロットキャリアを出力する場合、スイッチ１３の切替選択によってパイロットデータ出力部１２をシンボルマッパ１４に接続する。このとき、パイロットデータ出力部１２から出力されるパイロットデータのビットデータをシンボルマッパ１４によってシンボルデータに変換する。そして、逆ウェーブレット変換器１５により、シリアルデータをパラレルデータに変換して該当するサブキャリアにシンボルデータとして連続同一データ（例えばオール１、オール０など）を与え、このデータを時間軸上へ逆離散ウェーブレット変換する。その後、Ｄ／Ａ変換器１６によりパイロットキャリアを含むアナログベースバンド信号波形に変換して送信する。
【００４５】
上記送信装置１０において、逆ウェーブレット変換器１５は変調手段の機能を有するものであり、パイロットデータ出力部１２およびスイッチ１３はパイロットキャリア生成手段の機能を有するものである。
【００４６】
受信装置２０においては、Ａ／Ｄ変換器２１によって受信信号より得られるアナログベースバンド信号波形を送信側と同じサンプルレートでサンプルし、サンプル値系列を得る。そして、ウェーブレット変換器２２により、このサンプル値系列を周波数軸上へ離散ウェーブレット変換し、受信信号に含まれる複素情報を得た後、パラレルデータをシリアルデータに変換する。次に、伝送路等化器２３によってこの複素情報を用いて各サブキャリアごとに伝送路の伝送特性の補償等を行うための等化量を求めて受信信号の等化を行う。その後、パイロットキャリア抽出部２４によって受信信号よりパイロットキャリアを抽出し、クロックずれ補償器２５においてこのパイロットキャリア及び既知信号を用いて受信信号のクロックずれ補償を行う。このクロックずれ補償処理については後述する。
【００４７】
上記受信装置２０において、ウェーブレット変換器２２は復調手段の機能を有するものであり、パイロットキャリア抽出部２４はパイロットキャリア抽出手段の機能を、クロックずれ補償器２５はクロックずれ補償手段の機能をそれぞれ有するものである。
【００４８】
次に、本実施形態によるパイロットキャリアの生成について説明する。図２は第１の実施形態における周波数軸上でのキャリア構成を模式的に示す図である。ＯＦＤＭによるマルチキャリア伝送方式では、周波数が異なる多数のサブキャリアを生成し、周波数軸上で複数に分割された各サブキャリアに伝送データを含めるようにし、複数キャリアを多重した形でデータ通信を行う。本実施形態では、ＤＷＭＣ伝送方法によるデータ伝送においてパイロットキャリアを設ける場合に、隣り合う２つのサブキャリアを単位としたサブキャリアペア、すなわち複数（２の倍数（偶数）、図２の例では２つ）のサブキャリアにおいて連続同一データ（例えばオール１、オール０など）を与えることによって、正弦波の信号となるパイロットキャリアを生成する。
【００４９】
すなわち、図２において、周波数軸上の複数のサブキャリアにおいてデータキャリアＤ１，Ｄ２，Ｄ３，…が設定されている場合、所定の２つの隣り合うサブキャリアによるサブキャリアペアにおいて連続同一データを与えて、パイロットキャリアＰ１，Ｐ２，…を構成する。このパイロットキャリアによって、実数情報を扱うウェーブレット変換ベースのＯＦＤＭによるマルチキャリア伝送方式において、従来のＦＦＴベースのＯＦＤＭによるマルチキャリア伝送方式と同様に複素情報を扱うことのできるパイロットキャリアを実現可能となる。
【００５０】
図３は第１の実施形態における周波数軸上でのパイロットキャリアを示す図、図４はＦＦＴベースのＯＦＤＭによるマルチキャリア伝送方式におけるパイロットキャリアを示す図である。図３は、本実施形態の一例として、８点のウェーブレット変換ベースのＯＦＤＭによるマルチキャリア伝送方式に適用した場合のサブキャリアを示したものであり、図４は、比較例として、図３と同一条件にしたＦＦＴベースのＯＦＤＭによるマルチキャリア伝送方式に適用した場合のサブキャリアを示したものである。なお、図３，４では簡略化するためサイドローブを省略している。ＯＦＤＭでは、隣り合うサブキャリアの信号は互いに直交関係にあり、各サブキャリアの信号をそれぞれ独立して取得可能である。特に、ウェーブレット変換ベースのＯＦＤＭでは、サイドローブのレベルが小さいため、周囲のサブキャリアに対する影響が小さく、キャリア間の干渉は少なくなる。
【００５１】
本実施形態では、図３に示すように、８つのサブキャリアにおいて、隣り合う２つのサブキャリアＣ１、Ｃ２によるサブキャリアペアに連続同一データを与えることによって、サブキャリアＣ１とＣ２の中間の周波数ｆp を持つ正弦波のパイロットキャリアＰＣＡ１が生成される。なお、サブキャリアＣ１とＣ２では、必ずしもキャリア間で同一のデータを与える必要はなく、それぞれのキャリアで連続同一データを与えれば正弦波のパイロットキャリアを生成可能である。２つのサブキャリアにおいてそれぞれ与えるデータを適宜変えることによって、パイロットキャリアの位相を変更することができる。
【００５２】
一方、ＦＦＴベースのＯＦＤＭによるマルチキャリア伝送方式の場合は、図４に示すように、１つのサブキャリアＣｘに連続同一データを与えることによって、このサブキャリアＣｘの中心周波数ｆp を持つ正弦波のパイロットキャリアＰＣＡｘが生成される。
【００５３】
次に、本実施形態の受信装置におけるウェーブレット変換器の構成及び動作を説明する。図５は受信装置２０におけるウェーブレット変換器２２の第１例を示すブロック図である。この第１例のウェーブレット変換器２２は、受信信号に対して実係数ウェーブレットフィルタバンクを用いたＤＣＴ（離散コサイン変換）ベースのウェーブレット変換を行うＤＣＴベースウェーブレット変換器３１と、受信信号に対して実係数ウェーブレットフィルタバンクを用いたＤＳＴ（離散サイン変換）ベースのウェーブレット変換を行うＤＳＴベースウェーブレット変換器３２と、ＤＣＴベースウェーブレット変換器３１及びＤＳＴベースウェーブレット変換器３２の出力を基に受信信号の複素情報を出力する複素情報出力部３３と、パラレルデータをシリアルデータに変換する並列直列変換器（Ｐ／Ｓ（パラレル／シリアル）変換器）３４とを有して構成される。
【００５４】
上記構成において、ディジタル信号に変換された受信信号の各サブキャリアごとに、ＤＣＴベースウェーブレット変換器３１によってＤＣＴベースのウェーブレット変換を行うことで、同相信号として用いる第１の信号を得る。また、ＤＳＴベースウェーブレット変換器３２によってＤＳＴベースのウェーブレット変換を行うことで、前記同相信号と直交する直交信号として用いる第２の信号を得る。これらの第１及び第２の信号に基づき、複素情報出力部３３より複素情報として同相信号及び直交信号を出力する。これらの同相信号及び直交信号により、振幅情報と位相情報を持つ複素情報が得られる。そして、Ｐ／Ｓ変換器３４によってパラレル信号をシリアル信号に変換して出力する。
【００５５】
このような構成のウェーブレット変換器２２を有する受信装置２０において、上記本実施形態のパイロットキャリアＰＣＡ１を受信した場合、同相成分及び直交成分を持つパイロットキャリアの正弦波信号が復調される。このパイロットキャリアの受信信号によって、クロックずれ補償等のための基準となる複素情報を得ることができる。正弦波を復調して得られる復調信号は、同相成分（Ｉ軸）と直交成分（Ｑ軸）による直交平面上において、１つの信号点で示される。このため、パイロットキャリアの復調信号の直交平面における位相の変位量に基づき、送信装置と受信装置との間のクロックずれなどを補償することができる。
【００５６】
次に、本実施形態の受信装置におけるクロックずれ補償器の構成及び動作を説明する。図６は受信装置２０におけるクロックずれ補償器２５の構成を示すブロック図、図７は受信信号の直交平面上での信号点の例を示す図である。クロックずれ補償器２５は、各サブキャリアにおけるパイロット信号と既知信号との位相ずれを算出する位相ずれ演算器３６と、各サブキャリアの周波数と位相ずれとから時間信号のサンプルずれを算出するサンプルずれ演算器３７と、得られたサンプルずれ情報を用いて受信信号の位相補正を行う位相補正器３８とを有して構成される。
【００５７】
例えば図７のように基準信号として用いる既知信号の信号点Ａと受信したパイロット信号の信号点Ｂとがずれている場合、このときの角度Θはクロックずれによるスキャッタの傾き、すなわち送信装置と受信装置とのクロックずれによる位相ずれを示すことになる。クロックずれ補償を行う際には、まず、位相ずれ演算器３６により、所定のアルゴリズムを使用して既知信号に対するパイロット信号の位相ずれΔφを求める。次いで、サンプルずれ演算器３７において、位相ずれ演算器３６から出力されるパイロット信号の位相ずれΔφとこのパイロット信号の周波数ｆp とを用いて時間信号のサンプルずれτを次の式より求める。
τ＝Δφ／（２πｆp ）      …（１）
なお、複数（ｋ個）のパイロットキャリアを使用する場合は、各パイロットキャリアのサンプルずれτk を算出する。
τk ＝Δφk ／（２πｆpk）      …（２）
【００５８】
そして、算出したサンプルずれτk を使用パイロットキャリアで平均することにより、時間信号の同期タイミングからの平均サンプルずれτavg を算出する。その後、位相補正器３８により、上記算出した平均サンプルずれτavg から各サブキャリアの位相φn を次の式より算出し、受信信号の各サブキャリアの位相を補正する。
【００５９】
φn ＝２πｆn τavg       …（３）
ｎ：サブキャリア番号
ｆn ：各サブキャリアの周波数
【００６０】
以上の演算処理により、パイロットキャリアを用いて送信装置と受信装置との間のクロックずれを補償することが可能である。このようにクロックずれ補償を行った後の受信信号について、判定器によってデータ判定を行い、受信データを取得する。
【００６１】
図８は受信装置２０におけるウェーブレット変換器２２の第２例を示すブロック図である。この第２例のウェーブレット変換器２２は、受信信号に対して実係数ウェーブレットフィルタバンクを用いたＤＣＴ（離散コサイン変換）ベースのウェーブレット変換を行うＤＣＴベースウェーブレット変換器３１と、パラレルデータをシリアルデータに変換する並列直列変換器（Ｐ／Ｓ（パラレル／シリアル）変換器）３４とを有して構成される。
【００６２】
このように１つの実数型ウェーブレット変換器のみを使用した場合にも、上記本実施形態のパイロットキャリアＰＣＡ１を受信することで、２つのサブキャリアにおける実数情報を組み合わせて複素情報を生成することができる。したがって、本実施形態のパイロットキャリアによって、受信側でクロックずれ補償等のための複素情報を得ることが可能となる。この第２例では、ウェーブレット変換器の数を減少して回路規模を縮小することができる。
【００６３】
なお、上記実施形態では受信装置にクロックずれ補償器を設けた構成を示したが、送信装置においてクロックずれ補償器を設け、パイロットキャリアの情報を使用してクロックずれ補償を行う構成としてもよい。
【００６４】
以上のように第１の実施形態によれば、隣り合う２つのサブキャリアを単位としたサブキャリアペアを用いて生成したパイロットキャリアによって、クロックずれ補償等のための複素情報を扱えるパイロットキャリアを構成し、使用することができる。また、パイロットキャリアの情報を使用して送信装置と受信装置とのクロックずれを補償することにより、伝送信号のエラーレートを低下でき、また一次変調の際に多値の変調を用いることが可能であるため、伝送効率を向上させることができる。
【００６５】
（第２の実施形態）
図９は本発明の第２の実施形態における周波数軸上でのキャリア構成を模式的に示す図である。第２の実施形態では、ＤＷＭＣ伝送方法によるデータ伝送において、隣り合う２つのサブキャリアを単位としたサブキャリアペアを用いて生成するパイロットキャリアを設ける場合に、パイロットキャリアの両側の１つ以上のサブキャリアをマスクキャリアとして使用しないこととする。
【００６６】
すなわち、図９において、周波数軸上の複数のサブキャリアにおいて所定の２つの隣り合うサブキャリアによるサブキャリアペアに連続同一データを与えてパイロットキャリアＰ１，Ｐ２，…を構成する際、このパイロットキャリアＰ１，Ｐ２，…の両隣の少なくとも１つ（図９の例では両側の１つずつ）のサブキャリアをマスクキャリアＭ１，Ｍ２，…に設定する。
【００６７】
図１０は第２の実施形態における周波数軸上でのパイロットキャリアを示す図である。この図１０は８点のウェーブレット変換ベースのＯＦＤＭによるマルチキャリア伝送方式に適用した場合のサブキャリアを示したものであり、簡略化するためサイドローブを省略している。本実施形態では、図１０に示すように、８つのサブキャリアにおいて、隣り合う２つのサブキャリアＣ１、Ｃ２によるサブキャリアペアに連続同一データを与えることによって、サブキャリアＣ１とＣ２の中間の周波数ｆp を持つ正弦波のパイロットキャリアＰＣＡ１が生成される。なお、サブキャリアＣ１とＣ２では、必ずしも同一のデータを与える必要はなく、それぞれのキャリアで連続同一データを与えれば正弦波のパイロットキャリアを生成可能である。また、パイロットキャリアＰＣＡ１を構成する２つのサブキャリアＣ１、Ｃ２の両側のサブキャリアＭ１、Ｍ２を使用しないようにし、マスクキャリアとする。
【００６８】
第２の実施形態では、上記のようにマスクキャリアを設けることにより、サブキャリア間の直交性に乱れが生じるような場合であっても、近隣のサブキャリアからの影響を低減し、キャリア間干渉を減少させることができる。これにより、パイロットキャリアから得られる複素情報の精度を向上させることが可能である。
【００６９】
なお、伝送信号の周波数帯域において予めマスクキャリアを設けるサブキャリアがわかっている場合、このマスクキャリアの隣にパイロットキャリアを設定するようにしてもよい。これにより、帯域全体においてパイロットキャリアの両側に設けるマスクキャリアの数を削減することができ、データキャリアの数を増加させてサブキャリアの使用効率を向上させ、伝送効率を高めることが可能となる。
【００７０】
（第３の実施形態）
図１１は本発明の第３の実施形態における周波数軸上でのキャリア構成を模式的に示す図である。第３の実施形態では、ＤＷＭＣ伝送方法によるデータ伝送においてパイロットキャリアを設ける場合に、隣り合う２つのサブキャリアを単位とした複数のサブキャリアペア、すなわち４つ以上の連続したサブキャリアにおいて連続同一データを与えて、パイロットキャリアを生成する。この場合、周波数軸上で連続した複数のパイロットキャリアを設定することになる。
【００７１】
すなわち、図１１において、周波数軸上の複数のサブキャリアにおいてデータキャリアＤ１，Ｄ２，Ｄ３，…が設定されている場合、所定の２つの隣り合うサブキャリアを単位とした複数のサブキャリアペア、すなわち４つ以上（図１１の例では６つ）のサブキャリアに連続同一データを与えて、パイロットキャリアＰ１，Ｐ２，Ｐ３を構成する。また、図１１の例では、第２の実施形態と同様に、パイロットキャリアＰ１〜Ｐ３の両隣の少なくとも１つ（図１１の例では両側の１つずつ）のサブキャリアをマスクキャリアＭ１，Ｍ２に設定する。
【００７２】
図１２は第２の実施形態における周波数軸上でのパイロットキャリアを示す図である。この図１２は８点のウェーブレット変換ベースのＯＦＤＭによるマルチキャリア伝送方式に適用した場合のサブキャリアを示したものであり、簡略化するためサイドローブを省略している。本実施形態では、図１２に示すように、８つのサブキャリアにおいて、隣り合う２つのサブキャリアを単位として連続する３つのサブキャリアペア、すなわち６つのサブキャリアＣ１１、Ｃ１２、Ｃ２１、Ｃ２２、Ｃ３１、Ｃ３２にそれぞれ連続同一データを与えることによって、サブキャリアＣ１１とＣ１２の中間の周波数ｆp1を持つ正弦波、サブキャリアＣ２１とＣ２２の中間の周波数ｆp2を持つ正弦波、及びサブキャリアＣ３１とＣ３２の中間の周波数ｆp3を持つ正弦波による３つの正弦波を有するパイロットキャリアＰＣＡ２が生成される。なお、サブキャリアＣ１１〜Ｃ３２では、必ずしも同一のデータを与える必要はなく、それぞれのキャリアで連続同一データを与えれば正弦波のパイロットキャリアを生成可能である。また、パイロットキャリアＰＣＡ２を構成する６つのサブキャリアＣ１１〜３２の両側のサブキャリアＭ１、Ｍ２を使用しないようにし、マスクキャリアとする。
【００７３】
第３の実施形態では、上記のように連続する複数の正弦波によるパイロットキャリアを設けることにより、パイロットキャリア当たりの正弦波数が増加するので、パイロットキャリアから得られる複素情報の精度を向上させることが可能である。また、各正弦波をパイロットキャリアとして用いる場合、パイロットキャリアを連続して設けることで、パイロットキャリアの両側にマスクキャリアを設ける際にマスクキャリアの数を減少させることができる。
【００７４】
また、上記のように周波数軸上で連続する３つの正弦波のパイロットキャリアを設けた場合、中央に位置するパイロットキャリアは近隣のサブキャリアからの影響をあまり受けないため、パイロットキャリアから得られる複素情報の精度がより向上する。このとき、パイロットキャリアを用いてクロックずれ補償等を行う場合、複数のパイロットキャリアに対して重み付けを行い、中央のパイロットキャリアの重みを大きくすることで、補償精度を向上できる。
【００７５】
（第４の実施形態）
図１３は本発明の第４の実施形態に係る受信装置の主要な構成を示すブロック図である。第４の実施形態は、複数のパイロットキャリアを用いる場合のパイロットキャリア選択手段を設けた第１の例である。なお、第１の実施形態と同様の構成要素については同一符号を付している。
【００７６】
第４の実施形態の受信装置４０は、Ａ／Ｄ変換器２１、ウェーブレット変換器２２、伝送路等化器２３、パイロットキャリア抽出部２４、クロックずれ補償器２５とともに、伝送路特性の推定を行う伝送路推定器４１と、伝送路推定器４１の出力に応じてパイロットキャリアの選択を行うパイロットキャリア選択部４２とを備えている。
【００７７】
伝送路推定器４１は、送信装置と受信装置との間の伝送路の通信品質等の状況を検出するもので、例えば、当該伝送路におけるＣＩＮＲ（キャリア電力対干渉及び雑音電力比）を算出する。本実施形態のＤＷＭＣ伝送を行う通信装置を、宅内の電力線を伝送路に用いた電力線通信システムに応用する場合、マルチキャリアで広大な周波数帯域を用いることと、本来通信用途ではない配線を用いることなどに起因して、サブキャリアの周波数によって伝送特性が異なったり、設置場所などによって伝送路特性のバラツキが大きいことがある。このため、サブキャリアごとに送信装置と受信装置との間の伝送路推定（Channel Estimation）を行い、伝送路特性に応じたサブキャリアの使用／不使用の決定や一次変調の変調方式の設定などが行われる。この伝送路推定は送信装置と受信装置との間で推定用の信号をやり取りして実施する。
【００７８】
上記伝送路推定器４１で得られたＣＩＮＲ情報は、送信装置及び受信装置において伝送信号をＰＡＭ等で一次変調する際の変調方式の決定などに使用される。例えば、ＣＩＮＲが大きい（キャリアに対して干渉やノイズが少なく伝送路状況が良い）場合は、一次変調の変調度を上げて４値ＰＡＭなどの多値変調を行うことで伝送レートを向上させる。一方、ＣＩＮＲが小さい場合は、伝送信号のエラーレートが上がるため、一次変調の変調度を下げるようにする。送信装置と受信装置の双方では、各サブキャリアごとに一次変調の変調方式を設定して割り当てた変調方式マップデータが保持されている。
【００７９】
パイロットキャリア選択部４２は、パイロットキャリア抽出部２４で抽出された複数のパイロットキャリアのうち、伝送路推定器４１から出力されるＣＩＮＲ情報に基づき、ＣＩＮＲの所定値をしきい値として使用するパイロットキャリアを選択する。ＣＩＮＲがしきい値以上で伝送路状況が良いサブキャリアでは、このサブキャリアのパイロットキャリアから得られる複素情報の精度が高く、特性が良いと考えられる。本実施形態は、パイロットキャリアを複数固定配置することを想定した場合の例であり、ＣＩＮＲがしきい値以上であるサブキャリアのパイロットキャリアを、基準信号として用いるのに適切なパイロットキャリアであるとみなして選択する。
【００８０】
図１４は伝送路推定器４１より得られるサブキャリアごとのＣＩＮＲ情報とパイロットキャリアとの関係の一例を示す特性図である。図１４では、１〜３９０のサブキャリアにおいて、３つのパイロットキャリアＰ１、Ｐ２、Ｐ３を固定的に設定している場合を示す。パイロットキャリア選択部４２において、例えばしきい値としてＣＩＮＲ＝２０ｄＢを設定し、ＣＩＮＲが２０ｄＢ以上であるサブキャリアペアのパイロットキャリアＰ１、Ｐ２を選択して出力する。そして、選択されたパイロットキャリアＰ１、Ｐ２をクロックずれ補償器２５等で使用し、送信装置と受信装置とのクロックずれの補償などを行う。
【００８１】
なお、上記実施形態では受信装置の構成を示したが、受信装置または送信装置に伝送路推定器を設け、送信装置にパイロットキャリア選択部及びクロックずれ補償器を設けて、受信装置における受信信号を基に受信装置または送信装置においてＣＩＮＲ情報を生成し、得られたＣＩＮＲ情報を用いて送信装置においてパイロットキャリアを選択し、クロックずれ補償を行う構成としてもよい。
【００８２】
このように第４の実施形態によれば、隣り合う２つのサブキャリアを単位としたサブキャリアペアにおいて生成したパイロットキャリアを使用する場合に、送信装置と受信装置との間の伝送路の状況に応じて、特性の良好なパイロットキャリアを選択して使用することが可能である。
【００８３】
（第５の実施形態）
図１５は本発明の第５の実施形態に係る受信装置の主要な構成を示すブロック図である。第５の実施形態は、複数のパイロットキャリアを用いる場合のパイロットキャリア重み付け手段を設けた第１の例である。なお、第１及び第４の実施形態と同様の構成要素については同一符号を付している。
【００８４】
第５の実施形態の受信装置４５は、Ａ／Ｄ変換器２１、ウェーブレット変換器２２、伝送路等化器２３、パイロットキャリア抽出部２４、クロックずれ補償器２５とともに、伝送路特性の推定を行う伝送路推定器４１と、伝送路推定器４１の出力に応じてパイロットキャリアの重み付けを行うパイロットキャリア重み付け部４６とを備えている。
【００８５】
パイロットキャリア重み付け部４６は、パイロットキャリア抽出部２４で抽出された複数のパイロットキャリアについて、伝送路推定器４１から出力されるＣＩＮＲ情報に基づき、ＣＩＮＲの値に応じて重み付け係数を決定し、重み付け処理を施した後のパイロットキャリアを出力する。ＣＩＮＲが大きく伝送路状況が良いサブキャリアでは、このサブキャリアのパイロットキャリアから得られる複素情報の精度が高く、特性が良いと考えられる。本実施形態は、パイロットキャリアを複数固定配置することを想定した場合の例であり、ＣＩＮＲが大きいサブキャリアのパイロットキャリアの重み付けを大きくし、ＣＩＮＲが小さいサブキャリアのパイロットキャリアの重み付けを小さくするように、パイロットキャリアの受信情報に対する重み付けを行う。例えば、ＣＩＮＲの値に比例して重み付けを行ったり、ＣＩＮＲの値に応じて複数段階の重み付け係数を設定すればよい。
【００８６】
そして、複数のパイロットキャリアについて、各パイロットキャリアの重み付け係数に基づき、選択合成、最大比合成、単純合成などの手法により合成することで重み付け処理を行う。このように重み付けがなされたパイロットキャリアを使用して、クロックずれ補償器２５において送信装置と受信装置とのクロックずれの補償などを行う。
【００８７】
なお、上記実施形態では受信装置の構成を示したが、受信装置または送信装置に伝送路推定器を設け、送信装置にパイロットキャリア重み付け部及びクロックずれ補償器を設けて、受信装置における受信信号を基に受信装置または送信装置においてＣＩＮＲ情報を生成し、得られたＣＩＮＲ情報を用いて送信装置においてパイロットキャリアの重み付けを行い、クロックずれ補償を行う構成としてもよい。
【００８８】
このように第５の実施形態によれば、隣り合う２つのサブキャリアを単位としたサブキャリアペアにおいて生成したパイロットキャリアを使用する場合に、送信装置と受信装置との間の伝送路の状況に応じて、複数のパイロットキャリアの重み付けを行うことで、パイロットキャリアから得られる複素情報の精度を向上させることが可能である。
【００８９】
（第６の実施形態）
図１６は本発明の第６の実施形態に係る受信装置の主要な構成を示すブロック図である。第６の実施形態は、複数のパイロットキャリアを用いる場合のパイロットキャリア選択手段を設けた第２の例である。なお、第１及び第４の実施形態と同様の構成要素については同一符号を付している。
【００９０】
第６の実施形態の受信装置５０は、Ａ／Ｄ変換器２１、ウェーブレット変換器２２、伝送路等化器２３、パイロットキャリア抽出部２４、クロックずれ補償器２５とともに、伝送路等化器２３より得られる振幅情報に応じてパイロットキャリアの選択を行うパイロットキャリア選択部５１を備えている。
【００９１】
伝送路等化器２３では、送信装置と受信装置との間で所定の信号をやり取りして当該伝送路における伝送特性を検出し、フィルタによって伝送特性の逆特性を乗算することにより、伝送特性がサブキャリア間でフラットになるように補償を行う。このとき、実際の伝送データの前に付加するプリアンブル内の補償用データを用いて、その受信信号の振幅情報に応じて伝送路等化器２３に設けたフィルタのタップ係数を決定し、伝送特性の補償を行う。
【００９２】
パイロットキャリア選択部５１は、パイロットキャリア抽出部２４で抽出された複数のパイロットキャリアのうち、伝送路等化器２３におけるフィルタのタップ係数から得られる振幅情報に基づき、所定の振幅値をしきい値として使用するパイロットキャリアを選択する。振幅値がしきい値以上で伝送路状況が良いサブキャリアでは、このサブキャリアのパイロットキャリアから得られる複素情報の精度が高く、特性が良いと考えられる。本実施形態は、パイロットキャリアを複数固定配置することを想定した場合の例であり、伝送路等化器で得られる振幅情報がしきい値以上であるサブキャリアのパイロットキャリアを、基準信号として使用するのに適切なパイロットキャリアであるとみなして選択する。
【００９３】
図１７は伝送路等化器２３において得られるサブキャリアごとの振幅情報とパイロットキャリアとの関係の一例を示す特性図である。図１７では、１〜３９０のサブキャリアにおいて、３つのパイロットキャリアＰ１、Ｐ２、Ｐ３を固定的に設定している場合を示す。パイロットキャリア選択部５１において、例えばしきい値としてＡthを設定し、振幅値がＡth以上であるパイロットキャリアＰ１、Ｐ２を選択して出力する。そして、選択されたパイロットキャリアＰ１、Ｐ２をクロックずれ補償器２５等で使用し、送信装置と受信装置とのクロックずれの補償などを行う。
【００９４】
なお、上記実施形態では受信装置の構成を示したが、受信装置または送信装置に伝送路等化器を設け、送信装置にパイロットキャリア選択部及びクロックずれ補償器を設けて、受信装置における受信信号を基に受信装置または送信装置において伝送路の等化を行い、この伝送路等化器より得られる振幅情報を用いて送信装置においてパイロットキャリアを選択し、クロックずれ補償を行う構成としてもよい。
【００９５】
このように第６の実施形態によれば、第４の実施形態と同様、隣り合う２つのサブキャリアを単位としたサブキャリアペアにおいて生成したパイロットキャリアを使用する場合に、送信装置と受信装置との間の伝送路の状況に応じて、特性の良好なパイロットキャリアを選択して使用することが可能である。
【００９６】
（第７の実施形態）
図１８は本発明の第７の実施形態に係る受信装置の主要な構成を示すブロック図である。第７の実施形態は、複数のパイロットキャリアを用いる場合のパイロットキャリア重み付け手段を設けた第２の例である。なお、第１及び第５、第６の実施形態と同様の構成要素については同一符号を付している。
【００９７】
第７の実施形態の受信装置５５は、Ａ／Ｄ変換器２１、ウェーブレット変換器２２、伝送路等化器２３、パイロットキャリア抽出部２４、クロックずれ補償器２５とともに、伝送路等化器２３より得られる振幅情報に応じてパイロットキャリアの重み付けを行うパイロットキャリア重み付け部５６を備えている。
【００９８】
パイロットキャリア重み付け部４６は、パイロットキャリア抽出部２４で抽出された複数のパイロットキャリアについて、伝送路等化器２３におけるフィルタのタップ係数から得られる振幅情報に基づき、振幅値に応じて重み付け係数を決定し、重み付け処理を施した後のパイロットキャリアを出力する。振幅値が大きく伝送路状況が良いサブキャリアでは、このサブキャリアのパイロットキャリアから得られる複素情報の精度が高く、特性が良いと考えられる。本実施形態は、パイロットキャリアを複数固定配置することを想定した場合の例であり、振幅値が大きいサブキャリアのパイロットキャリアの重み付けを大きくし、振幅値が小さいサブキャリアのパイロットキャリアの重み付けを小さくするように、パイロットキャリアの受信情報に対する重み付けを行う。例えば、振幅値に比例して重み付けを行ったり、振幅値に応じて複数段階の重み付け係数を設定すればよい。
【００９９】
そして、複数のパイロットキャリアについて、各パイロットキャリアの重み付け係数に基づき、選択合成、最大比合成、単純合成などの手法により合成することで重み付け処理を行う。このように重み付けがなされたパイロットキャリアを使用して、クロックずれ補償器２５において送信装置と受信装置とのクロックずれの補償などを行う。
【０１００】
なお、上記実施形態では受信装置の構成を示したが、受信装置または送信装置に伝送路等化器を設け、送信装置にパイロットキャリア重み付け部及びクロックずれ補償器を設けて、受信装置における受信信号を基に受信装置または送信装置において伝送路の等化を行い、この伝送路等化器より得られる振幅情報を用いて送信装置においてパイロットキャリアの重み付けを行い、クロックずれ補償を行う構成としてもよい。
【０１０１】
このように第７の実施形態によれば、第６の実施形態と同様、隣り合う２つのサブキャリアを単位としたサブキャリアペアにおいて生成したパイロットキャリアを使用する場合に、送信装置と受信装置との間の伝送路の状況に応じて、複数のパイロットキャリアの重み付けを行うことで、パイロットキャリアから得られる複素情報の精度を向上させることが可能である。
【０１０２】
（第８の実施形態）
図１９は本発明の第８の実施形態に係る受信装置の主要な構成を示すブロック図である。第８の実施形態は、複数のパイロットキャリアを用いる場合のパイロットキャリア選択手段を設けた第３の例である。なお、第１の実施形態と同様の構成要素については同一符号を付している。
【０１０３】
第８の実施形態の受信装置６０は、Ａ／Ｄ変換器２１、ウェーブレット変換器２２、伝送路等化器２３、パイロットキャリア抽出部２４とともに、複数のパイロットキャリアにおけるサブキャリアペア間の位相差を検出する位相差検出部６１と、位相差検出部６１の出力に応じてパイロットキャリアの選択を行うパイロットキャリア選択部６２とを備えている。
【０１０４】
位相差検出部６１は、パイロットキャリア抽出部２４により抽出された複数の正弦波のパイロットキャリアについて、各パイロットキャリアに対応するサブキャリアペア間の位相差を検出するものである。図２０は周波数軸上での各サブキャリアを模式的に示す図、図２１はサブキャリアペア間の位相差の一例を示す特性図である。図２０のように、周波数ｆp1、ｆp2、ｆp3の３つのパイロットキャリアが生成された場合、これらのパイロットキャリアのサブキャリアペア間の位相差θ1 、θ2 を検出する。図２１において、伝送路の伝送特性が悪化して特定のサブキャリアの伝送信号の位相がずれた場合は、該当するサブキャリアに関するサブキャリアペア間の位相差が平均値から大きく外れる結果となる。
【０１０５】
そこで、本実施形態では、パイロットキャリア選択部６２において、位相差検出部６１の出力に基づき、サブキャリアペア間の位相差が平均値に対して所定値以内のパイロットキャリアを選択して出力する。すなわち、サブキャリアペア間の位相差が平均値より所定値以上離れたサブキャリアのパイロットキャリアを除外して使用しないようにする。そして、選択されたパイロットキャリアをクロックずれ補償器２５等で使用し、送信装置と受信装置とのクロックずれの補償などを行う。
【０１０６】
なお、上記実施形態では受信装置の構成を示したが、送信装置にパイロットキャリア選択部及びクロックずれ補償器を設けて、受信装置において検出されるサブキャリアペア間の位相差情報を用いて送信装置においてパイロットキャリアを選択し、クロックずれ補償を行う構成としてもよい。また、パイロットキャリア選択部の代わりに、パイロットキャリア重み付け部を設け、パイロットキャリアの重み付けを行ってクロックずれ補償を行う構成としてもよい。
【０１０７】
このように第８の実施形態によれば、隣り合う２つのサブキャリアを単位としたサブキャリアペアにおいて生成したパイロットキャリアを使用する場合に、送信装置と受信装置との間の伝送路の状況に応じて、特性の良好なパイロットキャリアを選択して使用することができ、さらにパイロットキャリアから得られる複素情報の精度を向上させることが可能である。
【０１０８】
（第９の実施形態）
図２２は本発明の第９の実施形態に係る受信装置の主要な構成を示すブロック図である。第９の実施形態は、複数のパイロットキャリアを用いる場合のパイロットキャリア決定手段を設けた例である。なお、第１の実施形態と同様の構成要素については同一符号を付している。
【０１０９】
第９の実施形態の受信装置７０は、Ａ／Ｄ変換器２１、ウェーブレット変換器２２、伝送路等化器２３、パイロットキャリア抽出部２４、クロックずれ補償器２５とともに、伝送路特性の推定を行う伝送路推定器４１と、伝送路推定器４１の出力に応じてパイロットキャリアの使用を決定するもので、任意のサブキャリアをパイロットキャリアに選択するパイロットキャリア決定部７１とを備えている。
【０１１０】
パイロットキャリア決定部７１は、伝送路推定器４１から出力されるＣＩＮＲ情報に基づき、ＣＩＮＲの値に応じてパイロットキャリアとして使用するサブキャリアを決定し、パイロットキャリア設定情報を出力する。このパイロットキャリア設定情報は、送信装置に伝送され、送信装置と受信装置の双方で保持される。送信装置においては、パイロットキャリア設定情報を参照して該当するサブキャリアをパイロットキャリアに設定し、伝送信号を送信する。ＣＩＮＲが大きく伝送路状況が良いサブキャリアでは、このサブキャリアをパイロットキャリアに設定するとパイロットキャリアから得られる複素情報の精度が向上し、特性が良くなると考えられる。本実施形態は、パイロットキャリアを任意のサブキャリアに複数配置することを想定した場合の例であり、ＣＩＮＲの値に応じて、ＣＩＮＲが大きいサブキャリアを選択してパイロットキャリアに設定し、基準信号として適切である特性の良いパイロットキャリアを使用できるようにする。
【０１１１】
なお、送信装置及び受信装置において伝送信号をＰＡＭ等で一次変調する際の変調方式は、伝送路推定器４１より得られるＣＩＮＲ情報を用いて各サブキャリアの伝送路状況に応じて決定されるため、各サブキャリアに設定された一次変調情報によってもサブキャリアごとの通信品質が示されることになる。そこで、パイロットキャリアを選択設定する際に、ＣＩＮＲ情報の代わりに、ＣＩＮＲ情報を用いて決定される一次変調情報によって、パイロットキャリアとして使用するサブキャリアを決定してもよい。
【０１１２】
また、前記第６の実施形態で示した伝送路等化器２３におけるフィルタのタップ係数から得られる振幅情報を用いて、この振幅値に応じてパイロットキャリアを決定するようにしてもよい。
【０１１３】
図２３は伝送路推定器４１より得られるサブキャリアごとのＣＩＮＲ情報とパイロットキャリアとの関係の一例を示す特性図である。図２３では、１〜３９０のサブキャリアにおいて、３つのパイロットキャリアＰ１、Ｐ２、Ｐ３を選択的に設定している場合を示す。パイロットキャリア決定部７１において、例えばＣＩＮＲが大きい順に３つのサブキャリアペアを選択し、これらのサブキャリアペアにパイロットキャリアＰ１、Ｐ２、Ｐ３を設定してパイロットキャリア設定情報を出力する。そして、このパイロットキャリア設定情報が送信装置へ伝送され、選択されたサブキャリアペアにおいてパイロットキャリアＰ１、Ｐ２、Ｐ３が生成されて送信される。受信装置では、このパイロットキャリアＰ１、Ｐ２、Ｐ３がパイロットキャリア抽出部２４より抽出され、クロックずれ補償器２５等で使用されて送信装置と受信装置とのクロックずれの補償などが行われる。
【０１１４】
なお、上記実施形態では受信装置の構成を示したが、送信装置にパイロットキャリア決定部を設けて、受信装置における受信信号を基に受信装置または送信装置においてＣＩＮＲ情報を生成し、得られたＣＩＮＲ情報を用いて送信装置においてパイロットキャリアを決定し、受信装置または送信装置においてクロックずれ補償を行う構成としてもよい。
【０１１５】
このように第９の実施形態によれば、隣り合う２つのサブキャリアを単位としたサブキャリアペアにおいて生成したパイロットキャリアを使用する場合に、送信装置と受信装置との間の伝送路の状況に応じて、伝送路状況が良いサブキャリアを選択してパイロットキャリアに設定することで、特性の良好なパイロットキャリアを使用することが可能である。また、伝送路状況に応じて、パイロットキャリアの数、位置、間隔などを適応的に設定するようなことも可能である。
【０１１６】
（第１０の実施形態）
第１０の実施形態は、第９の実施形態の変形例であり、パイロットキャリア決定部７１において、パイロットキャリアを使用するか否か、パイロットキャリアの使用数、間隔などを決定するようにした例である。
【０１１７】
パイロットキャリア決定部７１は、伝送路推定器４１から出力されるＣＩＮＲ情報、またはメモリに保持された変調方式マップデータの一次変調情報に基づいてパイロットキャリアの使用を決定する。例えば、使用周波数帯域におけるＣＩＮＲ情報または一次変調情報を参照し、ＣＩＮＲの値が大きいかあるいは一次変調情報の変調度が上位（多値変調）であって伝送路の状況が良好であり、特にパイロットキャリアを使用しなくても支障なくデータ伝送が可能な場合は、パイロットキャリアを使用しないようにして、パイロットキャリア設定情報を使用無に設定する。
【０１１８】
また、パイロットキャリアを使用する場合は、ＣＩＮＲ情報または一次変調情報における最大値または平均値を参照し、この値によって使用するパイロットキャリアの数を決定する。ここで、ＣＩＮＲの値が大きいかあるいは一次変調情報の変調度が上位の場合はパイロットキャリアの使用数を少なくする。一方、ＣＩＮＲの値が小さいかあるいは一次変調情報の変調度が下位の場合はパイロットキャリアの使用数を多くする。ここで、使用するパイロットキャリアは、第９の実施形態で示したようにＣＩＮＲ情報または一次変調情報の値が高いサブキャリアに設定する。あるいは、伝送路状況に応じて、パイロットキャリアの位置、間隔などを適応的に設定してもよい。
【０１１９】
このように第１０の実施形態によれば、隣り合う２つのサブキャリアを単位としたサブキャリアペアにおいて生成したパイロットキャリアを使用する場合に、送信装置と受信装置との間の伝送路の状況に応じて、パイロットキャリアの使用の有無や使用数を決定することにより、パイロットキャリアを必要最小限に設定でき、使用周波数帯域における伝送効率を向上させることが可能となる。
【０１２０】
なお、上述した各実施形態において、送受信装置間のクロックずれを補償する手段は、受信装置において行うもの、送信装置において行うもの、受信装置及び送信装置の両方において行うものなど、いずれであってもよい。また、上記第４〜第１０の実施形態において、パイロットキャリアの選択や決定を行うためのパラメータとしてＣＩＮＲ情報や一次変調情報を用いたが、受信側でのビットエラーレート、伝送データの再送率、伝送レート（ｂｐｓ）などを用いてもよい。
【産業上の利用可能性】
【０１２１】
本発明は、実係数ウェーブレット変換を行うウェーブレット変換ベースのＯＦＤＭによるマルチキャリア伝送方式のデータ伝送において、複素情報を扱えるパイロットキャリアを使用することが可能となる効果を有し、実係数ウェーブレットフィルタバンクを用いたディジタル変復調処理によりデータ伝送を行うマルチキャリア伝送方法（ＤＷＭＣ伝送方法）を用いるマルチキャリア伝送方式の通信装置及び通信方法等に有用である。
【図面の簡単な説明】
【０１２２】
【図１】本発明の第１の実施形態に係る通信装置の主要な構成を示すブロック図
【図２】第１の実施形態における周波数軸上でのキャリア構成を模式的に示す図
【図３】第１の実施形態における周波数軸上でのパイロットキャリアを示す図
【図４】ＦＦＴベースのＯＦＤＭによるマルチキャリア伝送方式におけるパイロットキャリアを示す図
【図５】本実施形態の受信装置におけるウェーブレット変換器の第１例を示すブロック図
【図６】本実施形態の受信装置におけるクロックずれ補償器の構成を示すブロック図
【図７】本実施形態における受信信号の直交平面上での信号点の例を示す図
【図８】本実施形態の受信装置におけるウェーブレット変換器の第２例を示すブロック図
【図９】本発明の第２の実施形態における周波数軸上でのキャリア構成を模式的に示す図
【図１０】第２の実施形態における周波数軸上でのパイロットキャリアを示す図
【図１１】本発明の第３の実施形態における周波数軸上でのキャリア構成を模式的に示す図
【図１２】第２の実施形態における周波数軸上でのパイロットキャリアを示す図
【図１３】本発明の第４の実施形態に係る受信装置の主要な構成を示すブロック図
【図１４】第４の実施形態の伝送路推定器より得られるサブキャリアごとのＣＩＮＲ情報とパイロットキャリアとの関係の一例を示す特性図
【図１５】本発明の第５の実施形態に係る受信装置の主要な構成を示すブロック図
【図１６】本発明の第６の実施形態に係る受信装置の主要な構成を示すブロック図
【図１７】第６の実施形態の伝送路等化器において得られるサブキャリアごとの振幅情報とパイロットキャリアとの関係の一例を示す特性図
【図１８】本発明の第７の実施形態に係る受信装置の主要な構成を示すブロック図
【図１９】本発明の第８の実施形態に係る受信装置の主要な構成を示すブロック図
【図２０】第８の実施形態における周波数軸上での各サブキャリアを模式的に示す図
【図２１】第８の実施形態におけるサブキャリアペア間の位相差の一例を示す特性図
【図２２】本発明の第９の実施形態に係る受信装置の主要な構成を示すブロック図
【図２３】第９の実施形態の伝送路推定器より得られるサブキャリアごとのＣＩＮＲ情報とパイロットキャリアとの関係の一例を示す特性図
【図２４】ウェーブレット波形の例を示す図
【図２５】ＤＷＭＣ伝送方法における送信波形の例を示す図
【図２６】ＤＷＭＣ伝送方法における送信スペクトルの例を示す図
【図２７】ＤＷＭＣ伝送方法における送信フレームの構成例を示す図
【図２８】ＤＷＭＣ伝送方法を採用した場合の送信装置及び受信装置を有してなる従来例の通信装置の概念的構成を示すブロック図
【符号の説明】
【０１２３】
１０  送信装置
１１  伝送データ出力部
１２  パイロットデータ出力部
１３  スイッチ
１４  シンボルマッパ
１５  逆ウェーブレット変換器
１６  Ｄ／Ａ変換器
２０、４０、４５、５０、５５、６０、７０  受信装置
２１  Ａ／Ｄ変換器
２２  ウェーブレット変換器
２３  伝送路等化器
２４  パイロットキャリア抽出部
２５  クロックずれ補償器
３１  ＤＣＴベースウェーブレット変換器
３２  ＤＳＴベースウェーブレット変換器
３３  複素情報出力部
３４  Ｐ／Ｓ変換器
３６  位相ずれ演算器
３７  サンプルずれ演算器
３８  位相補正器
４１  伝送路推定器
４２、５１、６２  パイロットキャリア選択部
４６、５６  パイロットキャリア重み付け部
６１  位相差検出部
７１  パイロットキャリア決定部
【図１】
2005311413.tif 000003
【図２】
2005311413.tif 000004
【図３】
2005311413.tif 000005
【図４】
2005311413.tif 000006
【図５】
2005311413.tif 000007
【図６】
2005311413.tif 000008
【図７】
2005311413.tif 000009
【図８】
2005311413.tif 000010
【図９】
2005311413.tif 000011
【図１０】
2005311413.tif 000012
【図１１】
2005311413.tif 000013
【図１２】
2005311413.tif 000014
【図１３】
2005311413.tif 000015
【図１４】
2005311413.tif 000016
【図１５】
2005311413.tif 000017
【図１６】
2005311413.tif 000018
【図１７】
2005311413.tif 000019
【図１８】
2005311413.tif 000020
【図１９】
2005311413.tif 000021
【図２０】
2005311413.tif 000022
【図２１】
2005311413.tif 000023
【図２２】
2005311413.tif 000024
【図２３】
2005311413.tif 000025
【図２４】
2005311413.tif 000026
【図２５】
2005311413.tif 000027
【図２６】
2005311413.tif 000028
【図２７】
2005311413.tif 000029
【図２８】
2005311413.tif 000030